【手続補正書】
【提出日】令和2年10月1日(2020.10.1)
【手続補正１】
【補正対象書類名】特許請求の範囲
【補正対象項目名】全文
【補正方法】変更
【補正の内容】
【特許請求の範囲】
【請求項１】
互いに交差するように配設された複数の走査線及び複数の信号線と、
二次元状に配列された複数の検出素子と、
前記複数の走査線に印加する電圧をオン電圧とオフ電圧との間で切り替える走査駆動手段と、
前記複数の走査線に接続され、オン電圧が印加されると前記検出素子に蓄積された電荷を前記信号線に放出させるスイッチ手段と、
前記信号線に放出された前記電荷を画像データに変換して読み出す読み出し回路と、
少なくとも前記走査駆動手段及び前記読み出し回路を制御して前記各検出素子からの前記画像データの読み出し処理を行わせる制御手段と、
を含む画像撮影システムであって、
前記複数の走査線のうち、着目する対象ラインと、当該対象ラインの前後又は近傍にあるニアラインと、から読み出した同一信号線上の画素の値に基づき、これら画素間の差分値を求め、予め設定された閾値との比較により、ノイズ混入画素を検出するノイズ検出手段と、
前記対象ライン上において検出された前記ノイズ混入画素のうち、前記対象ライン上で連続する前記ノイズ混入画素の数を計測する計測手段と、
前記計測手段によって計測された前記ノイズ混入画素の連続数を、予め設定された閾値との比較により、スパイク状ノイズの検出と見なす判定手段と、
前記ノイズ混入画素が検出された前記対象ラインの補間を行う補間手段と、
を備えることを特徴とする画像撮影システム。
【請求項２】
記憶手段を更に含んで構成されており、
前記対象ラインと前記ニアラインの画素間の差分値を求める際に、基準値として前記記憶手段に予め記憶された基準画素値に基づいて、前記対象ライン及び前記ニアラインの各画素固有の画素値のばらつきを除去する第一除去手段を備えることを特徴とする請求項１に記載の画像撮影システム。
【請求項３】
前記対象ラインと前記ニアラインとの画素の差分値を求める際に、ライン方向に雑音成分を除去する第二除去手段を備えることを特徴とする請求項１又は２に記載の画像撮影システム。
【請求項４】
前記制御手段は、前記読み出し回路を制御して、前記対象ラインと前記ニアラインにおける画素値の読み出しを、前記走査線のスキャン順に行うことを特徴とする請求項１〜３のいずれか一項に記載の画像撮影システム。
【請求項５】
前記制御手段は、
放射線が照射された状態で前記画像データを読み出して本画像データを取得し、
放射線が照射されない状態で前記画像データを読み出して暗画像データを取得し、
前記本画像データと、前記暗画像データと、これら本画像データ及び暗画像データに基づくオフセット補正画像データと、を取得し、
前記判定手段は、前記本画像データ、前記暗画像データ、前記オフセット補正画像データ、前記本画像データ及び前記暗画像データに基づいて取得可能なその他の補正画像データのうち、いずれか一つ又は複数の画像の読み出し時又は処理時に、前記スパイク状ノイズの検出を行うことを特徴とする請求項１〜４のいずれか一項に記載の画像撮影システム。
【請求項６】
互いに交差するように配設された複数の走査線及び複数の信号線と、
二次元状に配列された複数の検出素子と、
前記複数の走査線に印加する電圧をオン電圧とオフ電圧との間で切り替える走査駆動手段と、
前記複数の走査線に接続され、オン電圧が印加されると前記検出素子に蓄積された電荷を前記信号線に放出させるスイッチ手段と、
前記信号線に放出された前記電荷を画像データに変換して読み出す読み出し回路と、
少なくとも前記走査駆動手段及び前記読み出し回路を制御して前記各検出素子からの前記画像データの読み出し処理を行わせる制御手段と、
を含む画像撮影システムであって、
前記複数の走査線のうち、読み出した対象ラインにノイズ混入画素があることを検出するノイズ検出手段と、
前記ノイズ検出手段によって前記ノイズ混入画素が検出された前記対象ラインの補間を行う補間手段と、を備え、
前記補間手段は、前記複数の走査線のうち、前記対象ラインの前後にあるニアラインの画素値を、前記対象ラインの画素値に入れ替えることで補間を行うものであり、
前記前後のニアラインのうち、前記対象ラインよりも前側にある前側ニアラインの画素値を優先して入れ替えるようにし、
前記前側ニアラインの画素値が、予め設定された閾値を超える場合に、前記対象ラインよりも後側にある後側ニアライアンの画素値を用いて入れ替えることを特徴とする画像撮影システム。
【請求項７】
互いに交差するように配設された複数の走査線及び複数の信号線と、
二次元状に配列された複数の検出素子と、
前記複数の走査線に印加する電圧をオン電圧とオフ電圧との間で切り替える走査駆動手段と、
前記複数の走査線に接続され、オン電圧が印加されると前記検出素子に蓄積された電荷を前記信号線に放出させるスイッチ手段と、
前記信号線に放出された前記電荷を画像データに変換して読み出す読み出し回路と、
少なくとも前記走査駆動手段及び前記読み出し回路を制御して前記各検出素子からの前記画像データの読み出し処理を行わせる制御手段と、
記憶手段と、
を含む画像撮影システムであって、
前記複数の走査線のうち、読み出した対象ラインにノイズ混入画素があることを検出するノイズ検出手段と、
前記ノイズ検出手段によって前記ノイズ混入画素が検出された前記対象ラインの補間を行う補間手段と、を備え、
前記補間手段は、前記対象ラインの補間を、基準値として前記記憶手段に予め記憶された基準画素値を、前記対象ラインの画素値に入れ替えることで補間を行うことを特徴とする画像撮影システム。
【請求項８】
互いに交差するように配設された複数の走査線及び複数の信号線と、
二次元状に配列された複数の検出素子と、
前記複数の走査線に印加する電圧をオン電圧とオフ電圧との間で切り替える走査駆動手段と、
前記複数の走査線に接続され、オン電圧が印加されると前記検出素子に蓄積された電荷を前記信号線に放出させるスイッチ手段と、
前記信号線に放出された前記電荷を画像データに変換して読み出す読み出し回路と、
少なくとも前記走査駆動手段及び前記読み出し回路を制御して前記各検出素子からの前記画像データの読み出し処理を行わせる制御手段と、
記憶手段と、
を含み、
前記制御手段は、
放射線が照射された状態で前記画像データを読み出して本画像データを取得し、
放射線が照射されない状態で前記画像データを読み出して暗画像データを取得する画像撮影システムであって、
前記複数の走査線のうち、読み出した対象ラインにノイズ混入画素があることを検出するノイズ検出手段と、
前記ノイズ検出手段によってノイズ混入画素が検出された前記対象ラインの補間を行う補間手段と、を備え、
前記補間手段は、前記暗画像データの画素値を、基準値として前記記憶手段に予め記憶された基準画素値と、前記本画像データの画素値に基づいて算出し、その算出結果を、前記対象ラインの画素値に入れ替えることで補間を行うことを特徴とする画像撮影システム。
【請求項９】
前記補間手段は、前記基準画素値を用いて前記対象ラインの補間を行う場合に、前記複数の走査線のうち、前記対象ラインの前後にあるニアラインの前記暗画像データにおける画素値と、前記基準画素値との差分値を算出し、その算出結果に基づいて前記対象ラインの補間を行うことを特徴とする請求項８に記載の画像撮影システム。
【請求項１０】
前記対象ライン上における前記ノイズ混入画素のうち、前記対象ライン上で連続する前記ノイズ混入画素の数を計測する計測手段を更に備え、
前記補間手段は、前記計測手段によって計測された前記ノイズ混入画素の連続数が、予め設定された閾値を超えた場合に、前記対象ラインにおける全ての画素の補間を行うことを特徴とする請求項６〜９のいずれか一項に記載の画像撮影システム。
【請求項１１】
前記対象ライン上における前記ノイズ混入画素のうち、前記対象ライン上で連続する画素の数を計測する計測手段と、
連続する前記ノイズ混入画素の開始点及び終了点を記憶する記憶手段と、を更に備え、
前記補間手段は、前記計測手段によって計測された前記ノイズ混入画素が連続する数が、予め設定された閾値を超えた場合に、少なくとも前記開始点から前記終了点までを含む前記対象ラインの一部の補間を行うことを特徴とする請求項６〜９のいずれか一項に記載の画像撮影システム。
【請求項１２】
前記制御手段は、
放射線が照射された状態で前記画像データを読み出して本画像データを取得し、
放射線が照射されない状態で前記画像データを読み出して暗画像データを取得し、
前記本画像データと、前記暗画像データと、これら本画像データ及び暗画像データに基づくオフセット補正画像データと、を取得し、
前記補間手段は、前記本画像データ、前記暗画像データ、前記オフセット補正画像データ、前記本画像データ及び前記暗画像データに基づいて取得可能なその他の補正画像データのうち、いずれか一つ又は複数の画像に対して補間を行うことを特徴とする請求項１０又は１１に記載の画像撮影システム。
【請求項１３】
請求項１〜１２のいずれか一項に記載の画像撮影システムを備えたことを特徴とする画像撮影装置。
【手続補正２】
【補正対象書類名】明細書
【補正対象項目名】発明の名称
【補正方法】変更
【補正の内容】
【発明の名称】画像撮影システム及び画像撮影装置
【手続補正３】
【補正対象書類名】明細書
【補正対象項目名】０００１
【補正方法】変更
【補正の内容】
【０００１】
本発明は、画像撮影システム及び画像撮影装置に関する。
【手続補正４】
【補正対象書類名】明細書
【補正対象項目名】０００６
【補正方法】変更
【補正の内容】
【０００６】
上記課題を解決するため、請求項１に記載の発明は、互いに交差するように配設された複数の走査線及び複数の信号線と、
二次元状に配列された複数の検出素子と、
前記複数の走査線に印加する電圧をオン電圧とオフ電圧との間で切り替える走査駆動手段と、
前記複数の走査線に接続され、オン電圧が印加されると前記検出素子に蓄積された電荷を前記信号線に放出させるスイッチ手段と、
前記信号線に放出された前記電荷を画像データに変換して読み出す読み出し回路と、
少なくとも前記走査駆動手段及び前記読み出し回路を制御して前記各検出素子からの前記画像データの読み出し処理を行わせる制御手段と、
を含む画像撮影システムであって、
前記複数の走査線のうち、着目する対象ラインと、当該対象ラインの前後又は近傍にあるニアラインと、から読み出した同一信号線上の画素の値に基づき、これら画素間の差分値を求め、予め設定された閾値との比較により、ノイズ混入画素を検出するノイズ検出手段と、
前記対象ライン上において検出された前記ノイズ混入画素のうち、前記対象ライン上で連続する前記ノイズ混入画素の数を計測する計測手段と、
前記計測手段によって計測された前記ノイズ混入画素の連続数を、予め設定された閾値との比較により、スパイク状ノイズの検出と見なす判定手段と、
前記ノイズ混入画素が検出された前記対象ラインの補間を行う補間手段と、
を備えることを特徴とする。
【手続補正５】
【補正対象書類名】明細書
【補正対象項目名】０００７
【補正方法】変更
【補正の内容】
【０００７】
上記課題を解決するため、請求項６に記載の発明は、互いに交差するように配設された複数の走査線及び複数の信号線と、
二次元状に配列された複数の検出素子と、
前記複数の走査線に印加する電圧をオン電圧とオフ電圧との間で切り替える走査駆動手段と、
前記複数の走査線に接続され、オン電圧が印加されると前記検出素子に蓄積された電荷を前記信号線に放出させるスイッチ手段と、
前記信号線に放出された前記電荷を画像データに変換して読み出す読み出し回路と、
少なくとも前記走査駆動手段及び前記読み出し回路を制御して前記各検出素子からの前記画像データの読み出し処理を行わせる制御手段と、
を含む画像撮影システムであって、
前記複数の走査線のうち、読み出した対象ラインにノイズ混入画素があることを検出するノイズ検出手段と、
前記ノイズ検出手段によって前記ノイズ混入画素が検出された前記対象ラインの補間を行う補間手段と、を備え、
前記補間手段は、前記複数の走査線のうち、前記対象ラインの前後にあるニアラインの画素値を、前記対象ラインの画素値に入れ替えることで補間を行うものであり、
前記前後のニアラインのうち、前記対象ラインよりも前側にある前側ニアラインの画素値を優先して入れ替えるようにし、
前記前側ニアラインの画素値が、予め設定された閾値を超える場合に、前記対象ラインよりも後側にある後側ニアライアンの画素値を用いて入れ替えることを特徴とする。
【手続補正６】
【補正対象書類名】明細書
【補正対象項目名】０００８
【補正方法】変更
【補正の内容】
【０００８】
上記課題を解決するため、請求項７に記載の発明は、互いに交差するように配設された複数の走査線及び複数の信号線と、
二次元状に配列された複数の検出素子と、
前記複数の走査線に印加する電圧をオン電圧とオフ電圧との間で切り替える走査駆動手段と、
前記複数の走査線に接続され、オン電圧が印加されると前記検出素子に蓄積された電荷を前記信号線に放出させるスイッチ手段と、
前記信号線に放出された前記電荷を画像データに変換して読み出す読み出し回路と、
少なくとも前記走査駆動手段及び前記読み出し回路を制御して前記各検出素子からの前記画像データの読み出し処理を行わせる制御手段と、
記憶手段と、
を含む画像撮影システムであって、
前記複数の走査線のうち、読み出した対象ラインにノイズ混入画素があることを検出するノイズ検出手段と、
前記ノイズ検出手段によって前記ノイズ混入画素が検出された前記対象ラインの補間を行う補間手段と、を備え、
前記補間手段は、前記対象ラインの補間を、基準値として前記記憶手段に予め記憶された基準画素値を、前記対象ラインの画素値に入れ替えることで補間を行うことを特徴とする。
【手続補正７】
【補正対象書類名】明細書
【補正対象項目名】０００９
【補正方法】変更
【補正の内容】
【０００９】
上記課題を解決するため、請求項８に記載の発明は、互いに交差するように配設された複数の走査線及び複数の信号線と、
二次元状に配列された複数の検出素子と、
前記複数の走査線に印加する電圧をオン電圧とオフ電圧との間で切り替える走査駆動手段と、
前記複数の走査線に接続され、オン電圧が印加されると前記検出素子に蓄積された電荷を前記信号線に放出させるスイッチ手段と、
前記信号線に放出された前記電荷を画像データに変換して読み出す読み出し回路と、
少なくとも前記走査駆動手段及び前記読み出し回路を制御して前記各検出素子からの前記画像データの読み出し処理を行わせる制御手段と、
記憶手段と、
を含み、
前記制御手段は、
放射線が照射された状態で前記画像データを読み出して本画像データを取得し、
放射線が照射されない状態で前記画像データを読み出して暗画像データを取得する画像撮影システムであって、
前記複数の走査線のうち、読み出した対象ラインにノイズ混入画素があることを検出するノイズ検出手段と、
前記ノイズ検出手段によってノイズ混入画素が検出された前記対象ラインの補間を行う補間手段と、を備え、
前記補間手段は、前記暗画像データの画素値を、基準値として前記記憶手段に予め記憶された基準画素値と、前記本画像データの画素値に基づいて算出し、その算出結果を、前記対象ラインの画素値に入れ替えることで補間を行うことを特徴とする。
【手続補正８】
【補正対象書類名】明細書
【補正対象項目名】００１０
【補正方法】変更
【補正の内容】
【００１０】
上記課題を解決するため、請求項１３に記載の発明は、画像撮影装置であって、請求項１〜１２のいずれか一項に記載の画像撮影システムを備えたことを特徴とする。